(57)【要約】【課題】目隠部材や化粧部材等の専用の隠蔽手段を設ける必要が無い管状部材端部の固定構造を提供する。【解決手段】建物１の外壁５に設けた孔１３から引き出された管状部材１４の端部１４ａが、外壁５に固定された取付部材１５に固定されており、外壁５には、管状部材１４の端部１４ａを隠蔽するように、取付部材１５を介して、建物用設備としてのパワーコンディショナ１６が設置された構成とされている。【選択図】図１２
2015169219.tif 000002
【特許請求の範囲】
【請求項１】
建物の外壁に設けた孔から引き出された管状部材の端部が、前記外壁に固定された取付部材に固定されており、
前記外壁には、前記管状部材の端部を隠蔽するように、前記取付部材を介して、建物用設備が設置されていることを特徴とする管状部材端部の固定構造。
【請求項２】
前記管状部材は、前記建物の内部に設置された蓄電池を格納した格納容器から延びるものであり、前記建物用設備は、前記蓄電池用のパワーコンディショナであることを特徴とする請求項１に記載の管状部材端部の固定構造。
【請求項３】
前記管状部材と並列して、前記蓄電池と前記パワーコンディショナとを繋ぐ配線が設けられていることを特徴とする請求項２に記載の管状部材端部の固定構造。
【請求項４】
前記取付部材は、前記建物用設備のケーシングの裏側面板を兼ねており、前記ケーシングには、屋外と連通する連通部が設けられていることを特徴とする請求項１乃至３のいずれか１項に記載の管状部材端部の固定構造。
【請求項５】
前記管状部材の端部の開口部には、網目状部材が設けられていることを特徴とする請求項１乃至４のいずれか１項に記載の管状部材端部の固定構造。
【請求項６】
請求項１乃至５のいずれか１項に記載の管状部材端部の固定構造に用いられる取付部材であって、
板状の取付部材本体に前記管状部材の端部を通すための孔が設けられており、
前記孔の屋外側に前記管状部材の端部を固定するための固定用孔を有する管状部材固定部が設けられていることを特徴とする取付部材。
【請求項７】
前記取付部材本体には、前記建物の前記外壁に締結部材で固定するための挿通孔が設けられていることを特徴とする請求項６に記載の取付部材。
【請求項８】
前記取付部材本体の表側面には、前記建物用設備の裏側面に設けたフックを受けるフック受けが設けられていることを特徴とする請求項６又は７に記載の取付部材。
【請求項９】
前記取付部材本体の表側面には、前記建物用設備を締結部材で固定するための設備固定部が設けられていることを特徴とする請求項６乃至８のいずれか１項に記載の取付部材。
【請求項１０】
前記取付部材本体の裏側面の縁部には、パッキン材が設けられていることを特徴とする請求項６乃至９のいずれか１項に記載の取付部材。
【請求項１１】
前記取付部材本体の前記孔の周縁部が連続して表面側に突出した突出縁部が形成されていることを特徴とする請求項６乃至１０のいずれか１項に記載の取付部材。
【請求項１２】
請求項６乃至１１のいずれか１項に記載の取付部材を用いて、請求項１乃至５のいずれか１項に記載の管状部材端部の固定構造とするための管状部材端部の固定方法であって、
前記取付部材本体に設けた前記孔から前記管状部材の端部を引き出した状態で、前記取付部材を前記建物の前記外壁に固定する工程と、
前記管状部材の端部を、前記取付部材本体の前記孔の屋外側の前記管状部材固定部に固定する工程と、
前記取付部材に前記建物用設備を固定する工程とから成ることを特徴とする管状部材端部の固定方法。
【発明の詳細な説明】
【技術分野】
【０００１】
本発明は、排気口や給気口等となる管状部材端部の固定構造、この固定構造に用いられる取付部材、及びこの取付部材を用いた管状部材端部の固定方法に関するものである。
【背景技術】
【０００２】
従来から、建物内から外壁まで管状部材を配設して、その管状部材の端部を排気口や給気口等とすることがなされている（例えば、特許文献１等を参照）。
【０００３】
このような排気口や給気口等は、そのままでは、防水性が悪く、見栄えも良くないので、通常、目隠部材や化粧部材等の専用の隠蔽手段を設けて、防水性が良く、見栄えも良いものにしている。
【先行技術文献】
【特許文献】
【０００４】
【特許文献１】特開２０１０−５４１１０号公報
【発明の概要】
【発明が解決しようとする課題】
【０００５】
しかしながら、外壁には、窓や戸等の開口部を設けなければならないうえに、近年では、様々な建物用設備を設置することなどもあり、やたらに目隠部材や化粧部材等の専用の隠蔽手段を設けてしまうと、建物全体の美的バランスが崩れてしまうおそれがある。
【０００６】
そこで、本発明は、目隠部材や化粧部材等の専用の隠蔽手段を設ける必要が無い管状部材端部の固定構造、この固定構造に用いられる取付部材、及びこの取付部材を用いた管状部材端部の固定方法を提供することを目的としている。
【課題を解決するための手段】
【０００７】
前記目的を達成するために、本発明の管状部材端部の固定構造は、建物の外壁に設けた孔から引き出された管状部材の端部が、前記外壁に固定された取付部材に固定されており、前記外壁には、前記管状部材の端部を隠蔽するように、前記取付部材を介して、建物用設備が設置されていることを特徴とする。
【０００８】
ここで、前記管状部材は、前記建物の内部に設置された蓄電池を格納した格納容器から延びるものであり、前記建物用設備は、前記蓄電池用のパワーコンディショナであるとよい。
【０００９】
また、前記管状部材と並列して、前記蓄電池と前記パワーコンディショナとを繋ぐ配線が設けられているとよい。
【００１０】
さらに、前記取付部材は、前記建物用設備のケーシングの裏側面板を兼ねており、前記ケーシングには、屋外と連通する連通部が設けられているとよい。
【００１１】
また、前記管状部材の端部の開口部には、網目状部材が設けられているとよい。
【００１２】
本発明の取付部材は、上記した本発明の管状部材端部の固定構造に用いられる取付部材であって、板状の取付部材本体に前記管状部材の端部を通すための孔が設けられており、前記孔の屋外側に前記管状部材の端部を固定するための固定用孔を有する管状部材固定部が設けられていることを特徴とする。
【００１３】
ここで、前記取付部材本体には、前記建物の前記外壁に締結部材で固定するための挿通孔が設けられているとよい。
【００１４】
また、前記取付部材本体の表側面には、前記建物用設備の裏側面に設けたフックを受けるフック受けが設けられているとよい。
【００１５】
さらに、前記取付部材本体の表側面には、前記建物用設備を締結部材で固定するための設備固定部が設けられているとよい。
【００１６】
また、前記取付部材本体の裏側面の縁部には、パッキン材が設けられているとよい。
【００１７】
さらに、前記取付部材本体の前記孔の周縁部が連続して表面側に突出した突出縁部が形成されているとよい。
【００１８】
本発明の管状部材端部の固定方法は、上記した本発明の取付部材を用いて、上記した本発明の管状部材端部の固定構造とするための管状部材端部の固定方法であって、前記取付部材本体に設けた前記孔から前記管状部材の端部を引き出した状態で、前記取付部材を前記建物の前記外壁に固定する工程と、前記管状部材の端部を、前記取付部材の前記取付部材本体の前記孔の屋外側の前記管状部材固定部に固定する工程と、前記取付部材に前記建物用設備を固定する工程とから成ることを特徴とする。
【発明の効果】
【００１９】
このような本発明の管状部材端部の固定構造は、建物の外壁に設けた孔から引き出された管状部材の端部が、外壁に固定された取付部材に固定されており、外壁には、管状部材の端部を隠蔽するように、取付部材を介して、建物用設備が設置された構成とされている。
【００２０】
上記した構成なので、管状部材の端部が建物用設備により隠蔽されるため、目隠部材や化粧部材等の専用の隠蔽手段を設けることなく、見栄えを良くすることができる。
【００２１】
ここで、管状部材は、建物の内部に設置された蓄電池を格納した格納容器から延びるものであり、建物用設備は、蓄電池用のパワーコンディショナである場合は、蓄電池用のパワーコンディショナは、建物の内部に蓄電池を設置した際に必要な建物用設備なので、この蓄電池用のパワーコンディショナを管状部材の端部の隠蔽手段として有効利用することができる。
【００２２】
また、管状部材と並列して、蓄電池とパワーコンディショナとを繋ぐ配線が設けられている場合は、配線のための孔を、管状部材を配設するための孔としても利用することができる。
【００２３】
さらに、取付部材は、建物用設備のケーシングの裏側面板を兼ねており、ケーシングには、屋外と連通する連通部が設けられている場合は、管状部材の端部を排気口とするときは、ケーシングの連通部から屋外への排気をすることができるし、管状部材の端部を給気口とするときは、ケーシングの連通部から屋外からの給気をすることができる。
【００２４】
また、管状部材の端部の開口部には、網目状部材が設けられている場合は、管状部材の端部からの虫や小動物等の異物の侵入を防止することができる。
【００２５】
本発明の取付部材は、上記した本発明の管状部材端部の固定構造に用いられる取付部材であって、板状の取付部材本体に管状部材の端部を通すための孔が設けられており、孔の屋外側に管状部材の端部を固定するための固定用孔を有する管状部材固定部が設けられた構成とされている。
【００２６】
上記した構成なので、管状部材の端部を外壁の外側に向けた状態に容易に固定することができる。
【００２７】
ここで、取付部材本体には、建物の外壁に締結部材で固定するための挿通孔が設けられている場合は、取付部材を外壁に容易に固定することができる。
【００２８】
また、取付部材本体の表側面には、建物用設備の裏側面に設けたフックを受けるフック受けが設けられている場合は、建物の外壁に、建物用設備を安定した状態で設置することができる。
【００２９】
さらに、取付部材本体の表側面には、建物用設備を締結部材で固定するための設備固定部が設けられている場合は、建物の外壁に、建物用設備をよりしっかりと安定した状態で設置することができる。
【００３０】
また、取付部材本体の裏側面の縁部には、パッキン材が設けられている場合は、パッキン材により、取付部材の裏面側に雨水等が浸入するのを防止することができるうえに、外壁を傷付けずに済む。
【００３１】
さらに、取付部材本体の孔の周縁部が連続して表面側に突出した突出縁部が形成されている場合は、この突出縁部によって、取付部材の表面を伝って流下してきた雨水等が管状部材の端部や取付部材の孔へ至らないようにすることができる。
【００３２】
本発明の管状部材端部の固定方法は、上記した本発明の取付部材を用いて、上記した本発明の管状部材端部の固定構造とするための管状部材端部の固定方法であって、取付部材本体に設けた孔から管状部材の端部を引き出した状態で、取付部材を建物の外壁に固定する工程と、管状部材の端部を、取付部材の取付部材本体の孔の屋外側の管状部材固定部に固定する工程と、取付部材に建物用設備を固定する工程とから成る構成とされている。
【００３３】
上記した構成なので、上記した本発明の管状部材端部の固定構造を容易に施工することができる。
【図面の簡単な説明】
【００３４】
【図１】実施例の管状部材端部の固定構造を備えた建物の概略構成を説明する説明図である。
【図２】実施例の管状部材端部の固定方法の施工段階を示す工程図である。
【図３】実施例の管状部材端部の固定方法の施工段階を示す工程図である。
【図４】実施例の管状部材端部の固定方法の施工段階を示す工程図である。
【図５】実施例の取付部材を裏面側から見た斜視図である。
【図６】実施例の管状部材端部の固定方法の施工段階を示す工程図である。
【図７】実施例の管状部材端部の固定方法の施工段階を示す工程図である。
【図８】実施例の管状部材端部の固定方法の施工段階を示す工程図である。
【図９】実施例の管状部材端部の固定方法の施工段階を示す工程図である。
【図１０】実施例で用いられるパワーコンディショナの裏側面を示す背面図である。
【図１１】実施例で用いられるパワーコンディショナの右側面を示す側面図である。
【図１２】実施例の管状部材端部の固定方法の施工段階を示す工程図である。
【図１３】実施例の管状部材端部の固定方法の施工段階を示す工程図である。
【図１４】実施例の管状部材端部の固定方法の施工段階を示す工程図である。
【図１５】実施例の管状部材端部の固定構造が完成した状態を示す図である。
【発明を実施するための形態】
【００３５】
以下、本発明を実施するための形態を、図面に示す実施例に基づいて説明する。
【実施例】
【００３６】
先ず、実施例の構成について説明する。
【００３７】
図１は、実施例の管状部材端部の固定構造を備えた建物１の概略構成を示している。
【００３８】
まず、この建物１は、地盤に打設された建物基礎１Ｂの上に建物本体１Ａが構築されて成る。
【００３９】
具体的には、建物基礎１Ｂの上端に基礎パッキン２を介して土台３が設けられており、土台３の上に根太６が設けられ、根太６の上面に、床材７が貼設されて、床材７の上に内壁４が固定され、さらに、内壁４の外側に外壁５が固定されている。
【００４０】
これにより、床材７を境にして、１階の床上空間８と最下階の床下空間９とが形成されている。
【００４１】
さらに、外壁５を形成する外壁材５１の下端部には、この外壁材５１と建物基礎１Ｂとの間の目地部を隠蔽する化粧部材１０が設けられている。
【００４２】
そして、この実施例１の蓄電池設置構造では、建物１の床上空間８内に、蓄電池１１が格納された格納容器１２が設けられている。
【００４３】
ここで、格納容器１２には、通気孔１２ａと配線挿通孔１２ｂとが形成されている。
【００４４】
また、屋外空間に面する外壁５を形成する外壁材５１には、孔１３が設けられている。
【００４５】
そして、格納容器１２の通気孔１２ａと、外壁５に設置された建物用設備である蓄電池１１用のパワーコンディショナ１６との間が管状部材１４で接続されて気密性の通気経路が形成されている。
【００４６】
ここで、管状部材１４は、格納容器１２の側面の通気孔１２ａから床上空間８を通って床材７を貫通し、床下空間９を通って床材７を貫通し、内壁４内を通って外壁５に設けられた孔１３を通って、この管状部材１４の端部１４ａは、パワーコンディショナ１６の取付部材１５に固定されている。
【００４７】
また、管状部材１４と並列に、蓄電池１１とパワーコンディショナ１６との間が、配線１７により接続されている。
【００４８】
次に、この実施例の管状部材端部の固定方法を説明しながら、この実施例の管状部材端部の固定構造の詳細について説明する。
【００４９】
まず、図２に示したように、外壁５に設けた孔１３から管状部材１４の端部１４ａ及び配線１７の端部１７ａを外側に引き出す。
【００５０】
そして、この状態で、図３に示したように、水密材１８により、孔１３を塞ぐ。水密材１８には孔１８ａが形成されており、この孔１８ａに管状部材１４の端部１４ａ及び配線１７の端部１７ａを挿通させる。水密材１８の材質は圧縮変形性を有するものであり、管状部材１４の端部１４ａ及び配線１７の端部１７ａを挿通させた状態では、孔１８ａは概ね閉じられている。
【００５１】
続いて、図４に示したように、取付部材１５を、パワーコンディショナ１６の設置予定位置の高さまで持ってくる。
【００５２】
この取付部材１５は、板状の取付部材本体１５Ａに、管状部材１４の端部１４ａ及び配線１７の端部１７ａを通すための孔１５１が設けられており、この孔１５１の周縁部には、屋外側に突出した箱状突出縁部１５２が形成されている。
【００５３】
また、箱状突出縁部１５２の下側の上面端部には、管状部材１４の端部１４ａを係止して固定するための固定用孔１５３ａを有する管状部材固定部１５３が設けられている。
【００５４】
さらに、箱状突出縁部１５２の外側面の上方で連続した設備固定部としての挿通孔１５４ａを有する突起１５４と、その上方の設備固定部としての挿通孔１５５ａを有する突起１５５とが設けられている。
【００５５】
また、取付部材本体１５Ａには、建物１の外壁５に締結部材としてのネジ１９，・・・で固定するための挿通孔１５０ａ，・・・が設けられている。
【００５６】
さらに、取付部材本体１５Ａの表側面には、横方向に長い上下２列のフック受け１５６，１５６が設けられている。
【００５７】
ここで、フック受け１５６には、横方向に略等間隔で、縁部が切り起こされた切欠１５６ａが形成されている。
【００５８】
また、図５に示したように、取付部材本体１５Ａの裏側面の縁部には、パッキン材２０が設けられている。
【００５９】
続いて、図６に示したように、取付部材本体１５Ａの孔１５１から管状部材１４の端部１４ａ及び配線１７の端部１７ａを引き出した状態で、挿通孔１５０ａ，・・・にネジ１９，・・・をねじ込み、取付部材１５を外壁５に固定する。
【００６０】
続いて、図７に示したように、管状部材１４の端部１４ａの開口部を、網目状部材２１で覆った状態で、根元を結束バンド２２で締め付けて固定する。
【００６１】
そして、図８に示したように、網目状部材２１で開口部を覆った管状部材１４の端部１４ａを、管状部材固定部１５３の固定用孔１５３ａ内に挿入し、係止して固定する。
【００６２】
なお、管状部材固定部１５３は、手前側に向かって若干傾斜しており、管状部材１４の端部１４ａの開口部は斜め下向きになっている。
【００６３】
続いて、図９に示したように、パワーコンディショナ１６のパワーコンディショナ本体１６Ａからネジ２３，・・・を外して、フロントカバー１６１を開いておく。
【００６４】
ここで、図１０に示したように、パワーコンディショナ１６のパワーコンディショナ本体１６Ａの裏側面には、取付部材１５の取付部材本体１５Ａのフック受け１５６，１５６に係合可能な横方向に長い上下２列のフック１６２，１６２が設けられている。
【００６５】
また、図１１に示したように、パワーコンディショナ１６のパワーコンディショナ本体１６Ａの右側面には、挿通孔１６０ａ，１６０ａが設けられている。
【００６６】
続いて、図１２に示したように、パワーコンディショナ１６のパワーコンディショナ本体１６Ａを、外壁５に固定された取付部材１５の高さまで持ってくる。
【００６７】
そして、配線１７の端部１７ａをパワーコンディショナ１６のパワーコンディショナ本体１６Ａの手前側に引き出した状態で、取付部材１５のフック受け１５６，１５６に、パワーコンディショナ本体１６Ａのフック１６２，１６２を係合し、重なった挿通孔１５４ａ，１６０ａ及び１５５ａ，１６０ａにネジ２４をそれぞれねじ込むと、図１３に示したように、パワーコンディショナ１６のパワーコンディショナ本体１６Ａが、取付部材１５を介して、外壁５にしっかりと設置された状態となる。
【００６８】
続いて、配線１７の端部１７ａを所定の位置に接続した後、図１４に示したように、ネジ２３，・・・をねじ込み、フロントカバー１６１によりパワーコンディショナ本体１６Ａの手前側を塞ぐとともに、ネジ２５，・・・をねじ込み、フードカバー１６３によりパワーコンディショナ本体１６Ａの上面側も塞ぐ。
【００６９】
これにより、図１５に示したように、この実施例の管状部材端部の固定構造が完成する。
【００７０】
なお、フードカバー１６３は、手前側に向かって下るように傾斜しており、パワーコンディショナ１６の背面からの雨水等の浸入を防止するものである。
【００７１】
また、取付部材１５は、パワーコンディショナ１６のケーシングの裏側面板も兼ねている。
【００７２】
さらに、取付部材１５の高さは、パワーコンディショナ本体１６Ａの高さよりも低いので、取付部材１５の上端部と、フードカバー１６３の下面との間においてケーシングと外壁５との間の連通部としての隙間２６が形成されており、この隙間２６は、パワーコンディショナ１６内から熱を排熱する排熱孔の役目を果たすとともに、管状部材１４の端部１４ａの開口部から排出される排ガスを排気する排気孔の役目も果たす。
【００７３】
また、パワーコンディショナ１６の右側面には、ブレーカードア１６４が設けられており、このブレーカードア１６４内には、図示省略のブレーカースイッチが格納されている。
【００７４】
次に、実施例の作用効果について説明する。
【００７５】
このような実施例の管状部材端部の固定構造は、建物１の外壁５に設けた孔１３から引き出された管状部材１４の端部１４ａが、外壁５に固定された取付部材１５に固定されており、外壁５には、管状部材１４の端部１４ａを隠蔽するように、取付部材１５を介して、建物用設備としてのパワーコンディショナ１６が設置された構成とされている。
【００７６】
上記した構成なので、管状部材１４の端部１４ａが建物用設備としてのパワーコンディショナ１６により隠蔽されるため、目隠部材や化粧部材等の専用の隠蔽手段を設けることなく、見栄えを良くすることができる。
【００７７】
ここで、管状部材１４は、建物１の内部に設置された蓄電池１１を格納した格納容器１２から延びるものであり、建物用設備は、蓄電池１１用のパワーコンディショナ１６である。
【００７８】
このため、蓄電池１１用のパワーコンディショナ１６は、建物１の内部に蓄電池１１を設置した際に必要な建物用設備なので、この蓄電池１１用のパワーコンディショナ１６を管状部材１４の端部１４ａの隠蔽手段として有効利用することができる。
【００７９】
また、管状部材１４と並列して、蓄電池１１とパワーコンディショナ１６とを繋ぐ配線１７が設けられている。
【００８０】
このため、配線１７のための孔１３を、管状部材１４を配設するための孔としても利用することができる。
【００８１】
さらに、取付部材１５は、建物用設備としてのパワーコンディショナ１６のケーシングの裏側面板を兼ねており、ケーシングには、屋外と連通する連通部としての隙間２６が設けられている。
【００８２】
このため、管状部材１４の端部１４ａの開口部からの排ガスを、このケーシングの隙間２６から屋外への排気をすることができる。
【００８３】
また、管状部材１４の端部１４ａの開口部には、網目状部材２１が設けられている。
【００８４】
このため、管状部材１４の端部１４ａの開口部からの虫や小動物等の異物の侵入を防止することができる。
【００８５】
実施例の取付部材１５は、上記した実施例の管状部材端部の固定構造に用いられる取付部材である。そして、板状の取付部材本体１５Ａに管状部材１４の端部１４ａを通すための孔１５１が設けられており、孔１５１の屋外側に管状部材１４の端部１４ａを固定するための固定用孔１５３ａを有する管状部材固定部１５３が設けられた構成とされている。
【００８６】
上記した構成なので、管状部材１４の端部１４ａを外壁５の外側に向けた状態に容易に固定することができる。
【００８７】
ここで、取付部材本体１５Ａには、建物１の外壁５に締結部材としてのネジ１９，・・・で固定するための挿通孔１５０ａ，・・・が設けられている。
【００８８】
このため、取付部材１５を外壁５に容易に固定することができる。
【００８９】
また、取付部材本体１５Ａの表側面には、建物用設備としてのパワーコンディショナ１６の裏側面に設けたフック１６２，１６２を受けるフック受け１５６，１５６が設けられている。
【００９０】
このため、建物１の外壁５に、建物用設備としてのパワーコンディショナ１６を安定した状態で設置することができる。
【００９１】
さらに、取付部材本体１５Ａの表側面には、建物用設備としてのパワーコンディショナ１６を締結部材としてのネジ２４，２４で固定するための設備固定部としての突起１５４，１５５が設けられている。
【００９２】
このため、建物１の外壁５に、建物用設備としてのパワーコンディショナ１６をよりしっかりと安定した状態で設置することができる。
【００９３】
また、取付部材本体１５Ａの裏側面の縁部には、パッキン材２０が設けられている。
【００９４】
このため、パッキン材２０により、取付部材１５の裏面側に雨水等が浸入するのを防止することができるうえに、外壁５を傷付けずに済む。
【００９５】
さらに、取付部材本体１５Ａの孔１５１の周縁部が連続して表面側に突出した箱形突出縁部１５２が形成されている。
【００９６】
このため、この箱形突出縁部１５２によって、取付部材１５の表面を伝って流下してきた雨水等が管状部材１４の端部１４ａや取付部材１５の孔１５１へ至らないようにすることができる。
【００９７】
実施例の管状部材端部の固定方法は、上記した実施例の取付部材１５を用いて、上記した実施例の管状部材端部の固定構造とするための管状部材端部の固定方法である。そして、取付部材本体１５Ａに設けた孔１５１から管状部材１４の端部１４ａを引き出した状態で、取付部材１５を建物１の外壁５に固定する工程と、管状部材１４の端部１４ａを、取付部材１５の取付部材本体１５Ａの孔１５１の屋外側の管状部材固定部１５３に固定する工程と、取付部材１５に建物用設備としてのパワーコンディショナ１６を固定する工程とから成る構成とされている。
【００９８】
上記した構成なので、上記した実施例の管状部材端部の固定構造を容易に施工することができる。
【００９９】
以上、図面を参照して、本発明を実施するための形態を実施例に基づいて詳述してきたが、具体的な構成は、この実施例に限らず、本発明の要旨を逸脱しない程度の設計的変更は、本発明に含まれる。
【０１００】
例えば、上記した実施例では、建物１を、枠組壁工法による建物として実施したが、これに限定されず、鉄骨ラーメン構造のユニット建物や通常の軸組建物等の他の建物で実施してもよい。
【０１０１】
また、上記した実施例では、管状部材１４の端部１４ａの開口部が、蓄電池１１から排出される排ガスを排気する排気口となるようにして実施したが、これに限定されず、例えば、管状部材１４の端部１４ａの開口部が、換気システムの給気口（吸入口）や排気口（吐出口）となる場合などに適用して実施してもよい。
【０１０２】
さらに、上記した実施例では、建物用設備として、蓄電池１１用のパワーコンディショナ１６を用いて実施したが、これに限定されず、例えば、配電盤等の他の建物用設備を用いて実施してもよい。
【符号の説明】
【０１０３】
１        建物
１Ａ      建物本体
１Ｂ      建物基礎
２        基礎パッキン
３        土台
４        内壁
５        外壁
５１      外壁材
６        根太
７        床材
８        床上空間
９        床下空間
１０      化粧部材（隠蔽手段）
１１      蓄電池
１２      格納容器
１２ａ    通気孔
１２ｂ    配線挿通孔
１３      孔
１４      管状部材
１４ａ    管状部材の端部
１５      取付部材
１５Ａ    取付部材本体
１５０ａ  挿通孔
１５１    孔
１５２    箱状突出縁部（突出縁部）
１５３    管状部材固定部
１５３ａ  固定用孔
１５４    突起（設備固定部）
１５４ａ  挿通孔
１５５    突起（設備固定部）
１５５ａ  挿通孔
１５６    フック受け
１５６ａ  切欠
１６      パワーコンディショナ（建物用設備）
１６Ａ    パワーコンディショナ本体
１６０ａ  挿通孔
１６１    フロントカバー
１６２    フック
１６３    フードカバー
１６４    ブレーカードア
１７      配線
１７ａ    配線の端部
１８      水密材
１８ａ    孔
１９      ネジ（締結部材）
２０      パッキン材
２１      網目状部材
２２      結束バンド
２３      ネジ（締結部材）
２４      ネジ（締結部材）
２５      ネジ（締結部材）
２６      隙間（連通部）
【図１】
2015169219.tif 000003
【図２】
2015169219.tif 000004
【図３】
2015169219.tif 000005
【図４】
2015169219.tif 000006
【図５】
2015169219.tif 000007
【図６】
2015169219.tif 000008
【図７】
2015169219.tif 000009
【図８】
2015169219.tif 000010
【図９】
2015169219.tif 000011
【図１０】
2015169219.tif 000012
【図１１】
2015169219.tif 000013
【図１２】
2015169219.tif 000014
【図１３】
2015169219.tif 000015
【図１４】
2015169219.tif 000016
【図１５】
2015169219.tif 000017